(57)【特許請求の範囲】
【請求項１】
４枚の胴部パネルにより形成した四角筒状の本体と、該本体の開口面を封緘するフラップとより成る包装箱において、
罫線をはさんで隣り合う胴部パネルに、該罫線を横断する２本の切断線または易切断線を切り込んで設けて、その切断線間または易切断線間に前記罫線をはさんで向き合う折畳みロック片を形成し、かつ罫線をはさんで向き合った折畳みロック片の両端縁のうち一方又は双方の端縁を区画する切断線または易切断線を、前記罫線に関しずれた位置に切り込んで設けることを特徴とする折畳み集積性を向上させた包装箱。
【請求項２】
折畳みロック片の両端縁を区画する２本の切断線または易切断線は、平行状またはハの字状あるいは逆ハの字状のいずれかであることを特徴とする請求項1に記載の折畳み集積性を向上させた包装箱。
【請求項３】
易切断線は、素材厚の約半分の厚さに切り込んだハーフカット線または断続するミシン目状の切れ目のいずれかであることを特徴とする請求項１または２記載の折畳み集積性を向上させた包装箱。
【請求項４】
請求項１から３に記載された折畳み集積性を向上させた包装箱において、折畳みロック片は包装箱の対角線方向で向き合う位置に設けられていることを特徴とする折畳み集積性を向上させた包装箱。
【発明の詳細な説明】
【０００１】
【発明の属する技術分野】
この発明は、包装箱を廃棄する際に、箱を略扁平状に潰して折畳み集積作業及び結束作業を容易に行うことができる包装箱に関する。
【０００２】
【従来の技術】
缶ビール、缶ジュース等の缶飲料は、一般にラップラウンドケースと呼ばれる外装箱に収容されて出荷、運搬されることが多い。また、個装された菓子、ボックスティッシュ、トイレットロール或いは台所用のボトル入りまたはチューブ入り洗剤などは、ＪＩＳ  Ｚ１５０７で規定される０２０１形（旧Ａ−１形）の段ボール箱に収容されて出荷、運搬されることが多い。
【０００３】
ところで、この種の包装箱は、使用後に廃棄されるが廃棄した箱は焼却したり再利用するために古紙として回収するのが一般的である。使用済み包装箱の廃棄または回収に際しては箱をシートの状態に開いて解体し、あるいは箱の底蓋及び天蓋を解体した後、箱の四側面を菱形状に押し潰してできるだけ扁平な状態になるように集積し、かつその集積物を紐などで結束してストックし、その後回収業者に引き渡すのが常である。
【０００４】
【発明が解決しようとする課題】
しかるに丈夫に作られている包装箱を解体してシート状に開くことは手間がかかること、また段ボールシートのような圧縮力に対して応力の大きい素材により形成されている場合は、箱の四側面を菱形に押し潰しても平らな状態を保持しにくい。その理由は、包装箱Ａを菱形状に押し潰すとき、角筒状に成形されている四側面の角部Ｂ（連設罫線部）の折曲抵抗が大きく、箱を潰す力に対抗して四側面を元に戻そうとする復元力が働いて、図７に示すように、胴面が膨らむ傾向を生じるからである。
【０００５】
このため、包装箱を潰してもコンパクトに集積しづらい。また保管作業や結束作業も行いづらくなるという課題がある。特に卸店や量販店などは、使用済み包装箱が多量に発生するので、使用済み包装箱の量が増えるとその処理のために人手を必要とするだけでなく、箱が嵩張る結果、使用済み包装箱用の広いストックヤードを必要とするなど、さらにコストアップとなる課題があった。
【０００６】
この発明は、上記のような課題に鑑み、使用済み包装箱の廃棄時の折畳み集積性を向上させ、集積作業及び結束作業を容易に行うことができる包装箱を提供することを目的とする。
【０００７】
【課題を解決するための手段】
本発明者は、上記課題を解決するために鋭意研究を重ねた結果、４枚の胴部パネルを接合して四角筒状の形態にした箱体周囲に、特定の切込み線で折畳みロック片を設けることにより、上記のような廃棄時の折畳み集積作業及び結束作業を容易に行うことができる包装箱を得ることに成功し、本発明を完成するに至ったものである。
すなわち本発明の第１の発明に係る包装箱は、４枚の胴部パネルにより形成した四角筒状の本体と、該本体の開口面を封緘するフラップとより成る包装箱において、
罫線をはさんで隣り合う胴部パネルに、該罫線を横断する２本の切断線または易切断線を切り込んで設けて、その切断線間または易切断線間に、前記罫線をはさんで向き合う折畳みロック片を形成し、かつ罫線をはさんで向き合った折畳みロック片の両端縁のうち一方または双方の端縁を区画する切断線または易切断線を、前記罫線に関しずれた位置に切り込んで設ける包装箱である。
【０００８】
また本発明の第２は、折畳みロック片の両端縁を区画する切断線または易切断線は、平行状またはハの字状あるいは逆ハの字状のいずれかである第１の発明に記載の包装箱である。
また本発明において、易切断線は、素材厚の半分の厚さに切り込んだハーフカット線または断続するミシン目状の切れ目のいずれかにより形成することができる。
【０００９】
また本発明において、折畳みロック片は、包装箱の対角線方向で向き合う位置に設けることが好ましい。
【００１０】
【発明の実施の形態】
次に本発明の実施の形態を図面に基づいて具体的に説明する。
図１から図４は、一例として缶飲料を２４本単位で一まとめとして包み込む形式のラップラウンドケースを示したもので、図１は一枚の段ボール製ブランクの平面図、図２はその組立斜視図、図３は箱封緘面を開いた後、箱胴を菱形状に押し潰した状態を示した斜視図、図４は押し潰した箱の集積例を示した図である。また図５は、本発明による折畳みロック片の説明図、図６は折畳みロック片の挙動説明図である。
図７は従来のラップラウンドケースの廃棄時の折畳み集積状態の説明図である。
【００１１】
図１に基づき、この実施形態のラップラウンドケースの構成を説明する。
図１に示すように、この段ボール製ブランク１は、４角筒状をした本体（胴部）を形成するために、矩形状をした４枚の各胴部パネル２〜５と糊代６を一方向に連設したものである。前記４枚の胴部パネル２〜５の上縁及び下縁にそれぞれ４枚のフラップ９〜１２を連設して構成されている。
【００１２】
機能的に見ると、符号２と４は側面パネルであり、３と５は底面パネルと天面パネルである。これらのパネルはいずれも罫線７に介して折り曲げ可能に連結され、糊代６を介して角筒状に胴貼りして四角筒状の本体を形成する。
また、両側面パネル２と４の上縁及び下縁と、底面パネル３と天面パネル５の上縁及び下縁とに、それぞれ罫線８を介して封緘用内フラップ９と１０及び外フラップ１１と１２が折り曲げ可能に連結され、これらの内フラップと外フラップとを内側に折り曲げ重ね合わせて前記筒状本体の開口面が封緘される。
【００１３】
罫線７を挟んで隣り合うパネル２、３に対しては、略等しい長さの２本の切断線又は易切断線１３、１４を、該罫線７を横断する方向（図の例では直交する方向）に、ほぼ平行に刻設して、前記２本の切断線間又は易切断線間に前記罫線をはさんで向き合う折畳みロック片１７ａ、１７ｂを形成する。
同様に、パネル４、５のそれぞれに対しても、略等しい長さの２本の切断線又は易切断線１５、１６を罫線７と横断する方向に、ほぼ平行に刻設して、前記２本の切断線間又は易切断線間に、前記罫線をはさんで向き合う折畳みロック片１８ａ、１８ｂを形成する。
【００１４】
２本の切断線又は易切断線１３、１４は、平行に切り込まれていることは必ずしも必要ではなく、図５の（２）または（３）に示すように、ハの字状あるいは逆ハの字状に形成しても差し支えない。
なおこの切断線は、連続する切れ目線である必要はなく、手指によって切り起こすことが可能なたとえば素材シート厚の約半分の厚さに切り込みを入れたハーフカット線や断続するミシン目状の切れ目等の指で容易に切断できるものであればよい。
【００１５】
なお切断線又は易切断線１３と１４、または１５と１６の両端を結ぶ位置に折り曲げ線１９、２０を設けることを可とする。
【００１６】
以上のように、罫線７を挟んで隣り合うパネル２と３、またはパネル４と５のそれぞれに、略等しい長さの２本の切断線または易切断線１３と１４、または１５と１６を該罫線７と交差するように切り込むとともに、切断線又は易切断線１３と１４、または１５と１６の両端を結ぶように必要に応じて折り曲げ線１９、２０を刻設し、前記罫線７をはさんで向き合うように折畳みロック片１７ａ，１７ｂ又は１８ａ，１８ｂを形成する。
そして、図５のように罫線７をはさんで向き合った折畳みロック片１７ａ、１７ｂの両端縁のうち少なくとも一方の端縁を区画する切断線または易切断線１３ａ，１３ｂ、１４ａ、１４ｂの切り込み位置は、前記罫線７に関して少々ずらして設ける。すなわち、図５の（１）から（３）は折畳みロック片の両端縁を区画する切断線または易切断線の切り込み位置を、前記罫線７に関して少々ずらして設けた例である。また、図５の（４）から（６）は折畳みロック片の一方の端縁を区画する切断線または易切断線の切り込み位置を前記罫線７に関して少々ずらして設けた例である。後述するように、折畳みロック片の両端縁を区画する切断線または易切断線の切り込み位置を前記罫線７に関して少々ずらして設けると、箱を潰したときに行う折畳みロック片の操作方向が正逆何れの方向にも限定されないので好ましいものである。
【００１７】
なお折畳みロック片１７、１８の位置は、この実施形態（図1）のように角筒状本体の両端面寄りの位置に限定されるものではなく、中央寄りの位置でも差し支えない。特に角筒状に成形された本体において、対角線上で向き合った角部の２箇所に形成することが好ましいが、どちらか１箇所でもよい。
【００１８】
図１のブランクを組立てる場合は、従来のラップラウンド仕様のケースと同様な方法により、例えば飲料缶を２４本一まとめとして包み込む形式のラップラウンド包装機にかけて被包装物たる飲料缶を前後左右各パネル２〜５を介して角筒状に包囲した後、端面内フラップ９，１０と端面外フラップ１１，１２を内側に折り曲げて開口面をそれぞれ封緘すると、本発明の包装箱が図２のように完成する。
【００１９】
図２の包装箱を廃棄して回収する時は、箱の左右開口面を開いた後、箱が平らな状態になるように箱の胴面を図３のように菱形状に押し潰す。このとき、図６に示すように折畳みロック片１７ａ、１７ｂは、罫線７より折れ曲り上下に重なり合った状態になっている。また、下側にある折畳みロック片１７ｂの少なくとも一方の端縁部（切断線又は易切断線）と上側にある折畳みロック片１７ａの端縁部１４ａと１４ｂ（切断線又は易切断線）は、罫線7を挟んでズレた位置にある。そのため、図６の（Ｉ）の状態から（II）のように折り曲げ線１９を回転軸にして、上下に重なり合った状態の折畳みロック片１７を例えば指で上方に折り曲げて起こすと、下側にある折畳みロック片１７ｂの少なくとも一方の端縁部（切断線又は易切断線）と上側にある折畳みロック片１７ａの端縁部１４ａと１４ｂ（切断線又は易切断線）は、罫線7を挟んでずれているために、下側の折畳みロック片１７の端縁部１４ｂが本体側の端縁部に引っ掛かってロックされ、または摩擦的に固定されるのである。なお本例の場合、折畳みロック片１７を指で下側に折り曲げても、上側の折畳みロック片１７の端縁部１３ａが本体側の端縁部に引っ掛かってロックされ、または摩擦的に固定されることとなる。
この結果、箱胴面の角部（罫線部）の折曲抵抗を抑制し、箱を潰す力に対抗して四側面に元に戻そうとする内側から外側に向かう力を減殺するので、箱の四側面を略扁平な状態を保持するようになる（図３）。なお、図５の（４）から（６）のように、折畳みロック片の一方の端縁を区画する切断線または易切断線の切り込み位置を前記罫線７に関して少々ずらして設けると、折畳みロック片の操作方向性が制限をうけることは言うまでもない。
【００２０】
従来形は、角筒状の形態にした箱体の周囲にこのような折畳みロック片１７、１８を形成していないので、図７のように箱の四側面を菱形に押し潰しても復元しやすく平らな状態を保持しにくかった。本発明によれば、かかる問題が解消され、廃棄時のケースの膨らみを防止でき、集積時の厚みは従来形の約１／３程度にすることがきるので、包装箱廃棄時の折畳み集積作業及び結束作業を容易に行うことができるようになる。
【００２１】
なお、上記実施の形態は、いわゆるラップラウンド包装形式の箱について説明したが、これに限るものではない。すなわち、本発明は、ＪＩＳ  Ｚ１５０７で規定されるコード番号０２００から０７７１の３９種のうち、０２００形、０２０１形、０２０２形、０２０３、０２０４、０２０５、０２０６、０２０９、０２１２、０２１５、０２１６などの、前後左右各一対のパネルを繋ぎしろを介して接合して角筒状（サック状）の形態にした胴部と、その上縁又は下縁に延出した天面フラップ又は底面フラップにより構成される直方体形状の包装箱に適用して好適なものである。
【００２２】
また、本実施の形態では切断線又は易切断線をほぼ平行に刻設したが、図５に示すような「ハ」字形や逆「ハ」字形としても良く、上記実施の形態に限定されないことは言うまでもない。
【００２３】
【発明の効果】
以上述べたように本発明は使用済み包装箱の解体廃棄時の集積にあたり、四角筒状の箱を、容易にほぼ扁平に折畳んでロックすることが可能となり、折畳み集積性を向上させ、集積作業及び結束作業を容易に行うことができる。また流通にともなう廃棄梱包材の減量化や資源のリサイクルに有益な効果がある。
【図面の簡単な説明】
【図１】本発明の一実施形態を示した段ボールブランクの平面図である。
【図２】同上組立斜視図である。
【図３】箱の封緘面を開いた後、箱胴面を菱形状に押し潰した状態を示した斜視図である。
【図４】集積状態の一例を示した図である。
【図５】折畳みロック片の説明図である。
【図６】同上挙動説明図である。
【図７】本発明の折畳みロック片を有しない従来のラップラウンドケースの廃棄時の折畳み集積状態の説明図である。
【符号の説明】
２，４  胴部パネル
３，５  胴部パネル
７，８  罫線
９，１０  内フラップ
１１，１２  外フラップ
１３，１３ａ，１３ｂ，１４，１４ａ，１４ｂ，１５，１６  切断線又は易切断線
１７ａ，１７ｂ，１８ａ，１８ｂ  折畳みロック片
１９，２０  折畳み補助線
【図１】
0004715050.tif 000002
【図２】
0004715050.tif 000003
【図３】
0004715050.tif 000004
【図４】
0004715050.tif 000005
【図５】
0004715050.tif 000006
【図６】
0004715050.tif 000007
【図７】
0004715050.tif 000008